(57)【要約】【課題】  情報テロップ等の送り速度を設定できることに気付いていない使用者が自分にあった表示速度への変更を容易に行うことが可能な携帯電話装置を提供する。【解決手段】  制御部１５は使用者がメールアプリ部１２を起動すると、入力処理部１１から通知される使用者のキー操作をメールアプリ部１２へ通知し、メールアプリ部１２の動作にしたがって表示部１８に対してスクロール・画面遷移等の表示制御を行う。制御部１５はメールアプリ部１２の動作による設定値、表示送り速度情報を設定アプリ部１４へ通知する。設定アプリ部１４は制御部１５から通知された設定値、表示送り速度情報を基に設定処理（あるいは表示速度推薦値の推定処理）を行い、その設定処理の結果を制御部１５を介してメモリ部１９に蓄積する。【選択図】      図２
2008193535.tif 000002
【特許請求の範囲】
【請求項１】
入力装置による表示送り速度が可変可能な第１の機能と、前記入力装置による表示送り速度の設定が不可の第２の機能とを搭載する携帯電話装置であって、
前記第１の機能における操作内容から前記表示送り速度を取得する取得手段と、前記取得手段にて取得した前記表示送り速度に基づいて前記第２の機能における表示送り速度を更新する更新手段とを有することを特徴とする携帯電話装置。
【請求項２】
入力装置による画面遷移操作の速度が可変可能な第１の機能と、前記入力装置による画面遷移操作の速度の設定が不可の第２の機能とを搭載する携帯電話装置であって、
前記第１の機能における操作内容から前記画面遷移操作の速度を取得する取得手段と、前記取得手段にて取得した前記画面遷移操作の速度に基づいて前記第２の機能における画面遷移操作の速度を更新する更新手段とを有することを特徴とする携帯電話装置。
【請求項３】
前記更新手段は、推薦値への更新の可否を問い合わせ、その問合せに対する入力を基に更新の有無を決定することを特徴とする請求項１または請求項２記載の携帯電話装置。
【請求項４】
前記取得手段は、電子メール機能を操作した時の表示送り速さの情報、キー操作による画面遷移速度の情報、ブラウザ機能の情報閲覧／ページ取得操作の速さの情報のうちの少なくとも一つを取得することを特徴とする請求項１から請求項３のいずれか記載の携帯電話装置。
【請求項５】
前記更新手段は、情報テロップの表示送り速度、アニメーション動作の再生速度、動画の再生速度、ボイスレコーダの再生速度のうちの少なくとも一つを更新することを特徴とする請求項１から請求項４のいずれか記載の携帯電話装置。
【請求項６】
入力装置による表示送り速度が可変可能な第１の機能と、前記入力装置による表示送り速度の設定が不可の第２の機能とを搭載する携帯電話装置に用いる表示画面制御方法であって、
前記携帯電話装置が、前記第１の機能における操作内容から前記表示送り速度を取得する取得処理と、前記取得処理にて取得した前記表示送り速度に基づいて前記第２の機能における表示送り速度を更新する更新処理とを実行することを特徴とする表示画面制御方法。
【請求項７】
入力装置による画面遷移操作の速度が可変可能な第１の機能と、前記入力装置による画面遷移操作の速度の設定が不可の第２の機能とを搭載する携帯電話装置に用いる表示画面制御方法であって、
前記携帯電話装置が、前記第１の機能における操作内容から前記画面遷移操作の速度を取得する取得処理と、前記取得処理にて取得した前記画面遷移操作の速度に基づいて前記第２の機能における画面遷移操作の速度を更新する更新処理とを実行することを特徴とする表示画面制御方法。
【請求項８】
前記携帯電話装置が、前記更新処理において、推薦値への更新の可否を問い合わせ、その問合せに対する入力を基に更新の有無を決定することを特徴とする請求項６または請求項７記載の表示画面制御方法。
【請求項９】
前記携帯電話装置が、前記取得処理において、電子メール機能を操作した時の表示送り速さの情報、キー操作による画面遷移速度の情報、ブラウザ機能の情報閲覧／ページ取得操作の速さの情報のうちの少なくとも一つを取得することを特徴とする請求項６から請求項８のいずれか記載の表示画面制御方法。
【請求項１０】
前記携帯電話装置が、前記更新処理において、情報テロップの表示送り速度、アニメーション動作の再生速度、動画の再生速度、ボイスレコーダの再生速度のうちの少なくとも一つを更新することを特徴とする請求項６から請求項９のいずれか記載の表示画面制御方法。
【請求項１１】
入力装置による表示送り速度が可変可能な第１の機能と、前記入力装置による表示送り速度の設定が不可の第２の機能とを搭載する携帯電話装置が実行するプログラムであって、
前記携帯電話装置の中央処理装置に、前記第１の機能における操作内容から前記表示送り速度を取得する取得処理と、前記取得処理にて取得した前記表示送り速度に基づいて前記第２の機能における表示送り速度を更新する更新処理とを実行させるためのプログラム。
【請求項１２】
入力装置による画面遷移操作の速度が可変可能な第１の機能と、前記入力装置による画面遷移操作の速度の設定が不可の第２の機能とを搭載する携帯電話装置が実行するプログラムであって、
前記携帯電話装置の中央処理装置に、前記第１の機能における操作内容から前記画面遷移操作の速度を取得する取得処理と、前記取得処理にて取得した前記画面遷移操作の速度に基づいて前記第２の機能における画面遷移操作の速度を更新する更新処理とを実行させるためのプログラム。
【発明の詳細な説明】
【技術分野】
【０００１】
本発明は携帯電話装置及びそれに用いる表示画面制御方法並びにそのプログラムに関し、特に携帯電話装置における画面の表示速度の制御に関する。
【背景技術】
【０００２】
一般に、携帯電話装置においては、電子メール機能が最も利用されており、使用者の年齢／性格／習熟度等によって、スクロール等に求める速度が異なる。電子メールの表示送りの速度や他の電子メールの表示等は、キーを入力する速度や、他の入力デバイスの操作で、使用者が、携帯電話装置の表示速度を最適化して使っていると考えられる。
【０００３】
一方で、情報テロップ等の送り速度は、入力による速度調整機能がなく、設定によって変更する必要がある。この場合、情報テロップ等の送り速度を設定できることに気付いていない使用者は、自分にあった表示速度への変更ができない。
【０００４】
尚、カテゴリ毎にスクロール速度を設定する技術が以下の特許文献１に記載されている。
【特許文献１】特開２００５−３２２０４６号公報
【発明の開示】
【発明が解決しようとする課題】
【０００５】
上述した従来の携帯電話装置では、情報テロップ機能において、入力装置による表示速度調整ができないという課題と、設定による表示速度調整が必要であるという課題がある。つまり、従来の携帯電話装置では、情報テロップ等の送り速度を設定できることに気付いていない使用者が自分にあった表示速度への変更ができないという課題がある。この課題は、上記の特許文献１に記載の技術でも解決することができない。
【０００６】
そこで、本発明の目的は上記の問題点を解消し、情報テロップ等の送り速度を設定できることに気付いていない使用者が自分にあった表示速度への変更を容易に行うことができる携帯電話装置及びそれに用いる表示画面制御方法並びにそのプログラムを提供することにある。
【課題を解決するための手段】
【０００７】
本発明による携帯電話装置は、入力装置による表示送り速度が可変可能な第１の機能と、前記入力装置による表示送り速度の設定が不可の第２の機能とを搭載する携帯電話装置であって、
前記第１の機能における操作内容から前記表示送り速度を取得する取得手段と、前記取得手段にて取得した前記表示送り速度に基づいて前記第２の機能における表示送り速度を更新する更新手段とを備えている。
【０００８】
本発明による他の携帯電話装置は、入力装置による画面遷移操作の速度が可変可能な第１の機能と、前記入力装置による画面遷移操作の速度の設定が不可の第２の機能とを搭載する携帯電話装置であって、
前記第１の機能における操作内容から前記画面遷移操作の速度を取得する取得手段と、前記取得手段にて取得した前記画面遷移操作の速度に基づいて前記第２の機能における画面遷移操作の速度を更新する更新手段とを備えている。
【０００９】
本発明による表示画面制御方法は、入力装置による表示送り速度が可変可能な第１の機能と、前記入力装置による表示送り速度の設定が不可の第２の機能とを搭載する携帯電話装置に用いる表示画面制御方法であって、
前記携帯電話装置が、前記第１の機能における操作内容から前記表示送り速度を取得する取得処理と、前記取得処理にて取得した前記表示送り速度に基づいて前記第２の機能における表示送り速度を更新する更新処理とを実行している。
【００１０】
本発明による他の表示画面制御方法は、入力装置による画面遷移操作の速度が可変可能な第１の機能と、前記入力装置による画面遷移操作の速度の設定が不可の第２の機能とを搭載する携帯電話装置に用いる表示画面制御方法であって、
前記携帯電話装置が、前記第１の機能における操作内容から前記画面遷移操作の速度を取得する取得処理と、前記取得処理にて取得した前記画面遷移操作の速度に基づいて前記第２の機能における画面遷移操作の速度を更新する更新処理とを実行している。
【００１１】
本発明によるプログラムは、入力装置による表示送り速度が可変可能な第１の機能と、前記入力装置による表示送り速度の設定が不可の第２の機能とを搭載する携帯電話装置が実行するプログラムであって、
前記携帯電話装置の中央処理装置に、前記第１の機能における操作内容から前記表示送り速度を取得する取得処理と、前記取得処理にて取得した前記表示送り速度に基づいて前記第２の機能における表示送り速度を更新する更新処理とを実行させている。
【００１２】
本発明による他のプログラムは、入力装置による画面遷移操作の速度が可変可能な第１の機能と、前記入力装置による画面遷移操作の速度の設定が不可の第２の機能とを搭載する携帯電話装置が実行するプログラムであって、
前記携帯電話装置の中央処理装置に、前記第１の機能における操作内容から前記画面遷移操作の速度を取得する取得処理と、前記取得処理にて取得した前記画面遷移操作の速度に基づいて前記第２の機能における画面遷移操作の速度を更新する更新処理とを実行させている。
【００１３】
すなわち、本発明の携帯電話装置は、電子メール機能等の使用者がよく使用する機能の操作に関する速度を基に情報テロップ機能等の表示送り速度を変更する機能を有することによって、情報テロップ等の送り速度を設定できることに気付いていない使用者が自分にあった表示速度への変更を容易に行うことを可能としている。
【００１４】
より具体的に説明すると、本発明の携帯電話装置では、使用者が電子メール機能等を操作した時の表示送りの速さ（スクロール速度）の情報から、情報テロップ機能等の別の機能に対して使用者が求めるであろう表示送りの速さを想定し、その想定した速度で別の機能による表示速度の制御を行う機能を有している。
【００１５】
例えば、本発明の携帯電話装置では、使用者が電子メールを表示する速度や、次の電子メールに移動する操作速度等の情報を基に、別の機能である情報テロップ等の表示送りの速度や、動画の再生速度等を遅くしたり、速くしたり、といった設定値を自動で変更する、あるいは設定値変更を推薦する機能を有している。
【００１６】
これによって、本発明の携帯電話装置では、情報テロップ等の送り速度を設定できることに気付いていない使用者が自分にあった表示速度への変更を容易に行うことが可能となる。
【発明の効果】
【００１７】
本発明は、上記のような構成及び動作とすることで、情報テロップ等の送り速度を設定できることに気付いていない使用者が自分にあった表示速度への変更を容易に行うことができるという効果が得られる。
【発明を実施するための最良の形態】
【００１８】
次に、本発明の実施例について図面を参照して説明する。図１は本発明の一実施例による携帯電話装置の正面図である。図１において、携帯電話装置１は表示画面１ａと、テンキーや記号キー等の各種キーからなるキー１ｂとを備えている。
【００１９】
図２は本発明の一実施例による携帯電話装置の構成例を示すブロック図である。図２において、携帯電話装置１は、入力処理部１１と、メールアプリ部１２と、情報テロップアプリ部１３と、設定アプリ部１４と、制御部［ＣＰＵ（中央処理装置）］１５と、無線処理部１６と、アンテナ１６ａと、音声処理部１７と、マイク１７ａと、スピーカ１７ｂと、表示部１８と、メモリ部１９とから構成されている。
【００２０】
入力処理部１１は図１の携帯電話装置１上のキー１ｂが押下／開放された場合等、使用者の意思を示す入力に関する処理を行い、その処理結果を制御部１５へ通知する。
【００２１】
メールアプリ部１２は、電子メールの新規作成・閲覧・検索機能等を実現するアプリケーション機能を使用者へ提供し、制御部１５を介して他の機能ブロックと接続する。また、メールアプリ部１２は、制御部１５を介して入力処理部１１から通知されたキー入力を基に表示情報を変更する。
【００２２】
さらに、メールアプリ部１２は、表示に関わる設定情報と、使用者が電子メール閲覧した際のスクロール速度を設定アプリ部１４へ通知する。例えば、本実施例では、電子メールの長さ、フォルダ中に保存されている電子メール数、電子メールアドレス、日時、ユーザが実行した操作と流れ等の付加情報の履歴・統計を取ることによって、使用者の操作傾向をよりよく推定することができる。
【００２３】
情報テロップアプリ部１３は、受信した電子メール、スケジュール等、画面の一部にテロップ表示を行う機能を持つ。設定アプリ部１４は、携帯電話装置１のメモリ部１９に表示設定に関する設定情報を管理するデータベース機能と、使用者が設定を行うユーザインタフェース機能とを持つ。
【００２４】
無線処理部１６は、アンテナ１６ａを通して図示せぬ携帯電話網との通信処理を行う。音声処理部１７は、オーディオＣＯＤＥＣ（ＣＯｄｅｒ  ＤＥＣｏｄｅｒ）の処理を行い、マイク１７ａ、スピーカ１７ｂとの入出力を行う。
【００２５】
表示部１８は、ＬＣＤ（Ｌｉｑｕｉｄ  Ｃｒｙｓｔａｌ  Ｄｉｓｐｌａｙ）画面、ＥＬ（ｅｌｅｃｔｒｏｌｕｍｉｎｅｓｃｅｎｃｅ  ｄｉｓｐｌａｙ）画面等からなる表示画面１ａを備え、その表示画面１ａに対してＵＩ（Ｕｓｅｒ  Ｉｎｔｅｒｆａｃｅ）画面表示や電子書籍データの表示等を行う。
【００２６】
制御部１５は、メモリ部１９に格納されたプログラムを実行することで、上述した携帯電話装置１の各部の制御を行う。メモリ部１９は制御部１５が実行するプログラムのほかに、携帯電話装置１内で使用される各種情報を記憶するとともに、制御部１５がプログラムを実行する際の作業領域として使用される。
【００２７】
尚、本実施例において、メールアプリ部１２や情報テロップアプリ部１３の詳細な動作、構成については本発明とは直接関係しないので、その詳細な動作、構成についての説明は省略する。
【００２８】
また、上記の構成以外の構成については、携帯電話装置１が当業者にとってよく知られており、またそれらの構成が本発明とは直接関係しないので、その詳細な構成及び動作の説明については省略する。
【００２９】
図３及び図４は本発明の一実施例による携帯電話装置１の動作を示すフローチャートである。図３においては、メールアプリ部１２の操作時における情報蓄積処理を示し、図４においては、情報テロップアプリ部１３の起動時の表示速度の設定処理を示している。これら図１〜図４を参照して本発明の一実施例による携帯電話装置１の動作について説明する。尚、図３及び図４に示す処理は制御部１５がメモリ部１９のプログラムを実行することで実現される。
【００３０】
携帯電話装置１の制御部１５は使用者がメールアプリ部１２を起動すると（図３ステップＳ１）、入力処理部１１から通知される使用者のキー操作をメールアプリ部１２へ通知し（図３ステップＳ２）、メールアプリ部１２の動作にしたがって表示部１８に対してスクロール・画面遷移等の表示制御を行う。
【００３１】
制御部１５は上記のステップＳ２におけるメールアプリ部１２の動作による設定値、表示送り（スクロール）速度情報を設定アプリ部１４へ通知する（図３ステップＳ３）。設定アプリ部１４は制御部１５から通知された設定値、表示送り（スクロール）速度情報を基に設定処理（あるいは表示速度推薦値の推定処理）を行い、その設定処理の結果を制御部１５を介してメモリ部１９に蓄積する。
【００３２】
制御部１５は上述したメールアプリ部１２、設定アプリ部１４の処理が終了すると（図３ステップＳ４）、メールアプリ部１２を停止する（図３ステップＳ５）。また、制御部１５は処理が終了しなければ（図３ステップＳ４）、ステップＳ２の処理に戻って上記の処理を繰り返し行う。
【００３３】
携帯電話装置１の制御部１５は使用者が情報テロップアプリ部１３を起動すると（図４ステップＳ１１）、上記のステップＳ３にて設定アプリ部１４が推定してメモリ部１９に蓄積した表示速度推薦値を読出す（図４ステップＳ１２）。
【００３４】
制御部１５はメモリ部１９から読出した表示速度推薦値にて情報テロップアプリ部１３の表示送り速度設定値を更新する（図４ステップＳ１３）。情報テロップアプリ部１３は更新された表示送り速度設定値にて、表示部１８における情報テロップの表示送り速度を制御する。
【００３５】
情報テロップアプリ部１３は表示送り速度設定値が更新される場合（前回からの変更を推薦する場合）に、ポップアップメニュー等で使用者に情報を提示し、設定を反映するかどうかを、使用者に対してＹｅｓ／Ｎｏにて選択させることも可能である。
【００３６】
このように、本実施例では、入力装置による表示速度調整ができない情報テロップ機能において、電子メール操作等の特徴を基に表示速度調整を行うことによって、あるいは電子メール操作等の特徴を基に表示速度の設定値を推薦することによって、情報テロップ等の送り速度を設定できることに気付いていない使用者が自分にあった表示速度への変更を容易に行うことができる。
【００３７】
尚、本発明は、上記の実施例に記載の構成の他に、
（１）使用者の操作特徴を取得する手段として、電子メールの表示送り速度を利用する代わりに、使用者のキー操作による画面遷移速度の特徴を用いること
（２）使用者の操作特徴を取得する手段として、電子メール機能操作を利用する代わりに、ブラウザ機能の情報閲覧／ページ取得操作の特徴を用いること
という方法にて実現することも可能である。
【００３８】
また、本発明は、上記の実施例のように、情報テロップ表示送り速度を変更する代わりに、アニメーション動作、動画、ボイスレコーダ等の再生速度を変更したり、変更の設定を推薦を行うことも考えられる。
【図面の簡単な説明】
【００３９】
【図１】本発明の一実施例による携帯電話装置の正面図である。
【図２】本発明の一実施例による携帯電話装置の構成例を示すブロック図である。
【図３】本発明の一実施例による携帯電話装置の動作を示すフローチャートである。
【図４】本発明の一実施例による携帯電話装置の動作を示すフローチャートである。
【符号の説明】
【００４０】
１  携帯電話装置
１ａ  表示画面
１ｂ  キー
１１  入力処理部
１２  メールアプリ部
１３  情報テロップアプリ部
１４  設定アプリ部
１５  制御部
１６  無線処理部
１６ａ  アンテナ
１７  音声処理部
１７ａ  マイク
１７ｂ  スピーカ
１８  表示部
１９  メモリ部
【図１】
2008193535.tif 000003
【図２】
2008193535.tif 000004
【図３】
2008193535.tif 000005
【図４】
2008193535.tif 000006